(57)【要約】      （修正有）【課題】バッグ本体に対しオプションパーツを安定に密接して装着できるとともに、オプションパーツをウエストバッグ、手提げバッグなどとして利用することができる、バッグ本体とオプションパーツとで構成されたバッグを提供する。【解決手段】バッグ本体とオプションパーツとで構成され、バッグ本体１０は、側面部１６に、バッグ本体に両端が固定された少なくとも１本の横方向の帯状体１１ａ、１１ｂを備え、オプションパーツ２０は背面部２８に、一端２２ａがオプションパーツに固定され、先端２２ｂがオプションパーツに固定された係合部２４と留め外し可能な被係合部を有する少なくとも１本の縦方向の帯状体２２と、縦方向の帯状体の両端間に、一端２１ａがオプションパーツに固定され、先端がオプションパーツに固定された係合部２３と留め外し可能な被係合部を有する少なくとも１本の横方向の帯状体２１とを備えている。【選択図】図２
0003211078.tif 000002
【実用新案登録請求の範囲】
【請求項１】
バッグ本体とオプションパーツとで構成されたバッグであって、
前記バッグ本体が、
該バッグ本体の側面部に、前記バッグ本体に両端が固定された少なくとも１本の横方向の帯状体を備え、
前記オプションパーツが、
該オプションパーツの背面部に、一端が前記オプションパーツの上部に固定され、先端に前記オプションパーツの下部に固定された係合部と留め外し可能な被係合部を有する少なくとも１本の縦方向の帯状体と、前記縦方向の帯状体の両端間に、一端が前記オプションパーツに固定され、先端に前記オプションパーツに固定された係合部と留め外し可能な被係合部を有する少なくとも１本の横方向の帯状体とを備えていることを特徴とするバッグ。
【請求項２】
前記オプションパーツの前記縦方向の帯状体が、前記バッグ本体と前記バッグ本体の前記横方向の帯状体との間に挿入され、前記縦方向の帯状体先端の前記被係合部と、前記オプションパーツに固定された前記係合部とにより係止され、
前記オプションパーツの横方向の帯状体が、前記バッグ本体の前記横方向の帯状体間の位置で、前記バッグ本体と前記縦方向の帯状体との間に挿入され、前記横方向の帯状体先端の前記被係合部と、前記オプションパーツに固定された前記係合部とにより係止されていることを特徴とする請求項１に記載のバッグ。
【請求項３】
前記オプションパーツの前記縦方向の帯状体及び前記横方向の帯状体に設けられた前記被係合部、及び前記オプションパーツに固定された前記係合部が、面ファスナーにより構成されていることを特徴とする請求項１又は２に記載のバッグ。
【請求項４】
前記オプションパーツに固定された前記係合部が内側に係合面を備えた挟持型であり、挟持型の一端側が前記オプションパーツに固定され、前記オプションパーツの前記縦方向の帯状体先端の前記被係合部、及び前記横方向の帯状体の前記被係合部が両面に被係合面を備えており、前記縦方向の帯状体先端の前記被係合部、及び前記横方向の帯状体先端の前記被係合部が、前記オプションパーツに固定された挟持型の前記係合部により、両面で係合され係止されるように構成されていることを特徴とする請求項３に記載のバッグ。
【請求項５】
前記オプションパーツの前記縦方向の帯状体、及び前記横方向の帯状体の前記被係合部が内側に被係合面を備えた挟持型であり、前記オプションパーツに固定された前記係合部が、一端が前記オプションパーツに固定され他端が両面に係合面を備えた自由端であり、前記オプションパーツに固定された前記係合部が、前記縦方向の帯状体先端の挟持型の前記被係合部、及び前記横方向の帯状体先端の挟持型の前記被係合部により、両面で係合され係止されるように構成されていることを特徴とする請求項３に記載のバッグ。
【請求項６】
前記オプションパーツの背面側が、硬質の部材を含んで構成されていることを特徴とする請求項１〜５のいずれかの項に記載のバッグ。
【請求項７】
前記オプションパーツが、ハンドストラップ装着用のリング部材を備えていることを特徴とする請求項１〜５のいずれかの項に記載のバッグ。
【請求項８】
前記バッグ本体が、肩掛けベルト装着用、及び／又は手提げベルト装着用のリング部材を備えていることを特徴とする請求項１〜５のいずれかの項に記載のバッグ。
【請求項９】
バッグ本体とオプションパーツとで構成されたバッグであって、
前記バッグ本体が、
該バッグ本体の側面部に、一端が前記バッグ本体に固定され、先端に前記バッグ本体に固定された係合部と留め外し可能な被係合部を有する少なくとも１本の縦方向の帯状体と、前記縦方向の帯状体の両端間に、一端が前記バッグ本体に固定され、先端に前記バッグ本体に固定された係合部と留め外し可能な被係合部を有する少なくとも１本の横方向の帯状体とを備え、
前記オプションパーツが、
該オプションパーツの背面部に、前記オプションパーツに両端が固定された少なくとも１本の横方向の帯状体を備えていることを特徴とするバッグ。
【考案の詳細な説明】
【技術分野】
【０００１】
本考案はバッグに関し、より詳細には、ショッピング、釣りなどのアウトドアライフ、戸外での写真撮影、旅行などに好適なサブバッグや収納ケースなどのオプションパーツを備えたバッグに関する。
【背景技術】
【０００２】
携行品などを収納するバッグには、ハンドバッグ、トートバッグ、リュック型バッグ、ボストンバッグ、及びクラッチバッグなどの種々の形態のものが知られており、使用目的、用途、或は使用者の好みに応じて適宜使い分けられている。
このようなバッグの中でも、ショルダーバッグ、リュック型バッグ、ボストンバッグなどでは、使う頻度の多い小物が出し入れしやすいように、サイドポケットが設けられていることが多い。さらに、サイドポケットの部分が取り外しできるタイプのバッグも提案されている。
【０００３】
例えば、下記の特許文献１には、キャリングバッグのバッグ本体部と、バッグ本体部の外面に着脱自在に組み付けられたサブバッグと、バッグ本体部から分離したサブバッグをウエストポーチとして利用可能なキャリングバッグが提案されている。また、下記の特許文献２には、着脱自在な収納ケースを備えたランドセルが開示されている。
【０００４】
［考案が解決しようとする課題］
上記特許文献１に開示されているキャリングバッグや特許文献２に開示されているランドセルのように、硬質の側面又は変形しにくい側面に、サブバッグや収納ケースを装着する場合には、バッグ本体やランドセルの装着部に対して比較的堅固に装着することができる。
【０００５】
しかし、特に織物製のショルダーバッグ、リュック型バッグのような場合には、その外側に小物入れなどのサブバッグや収納ケースを装着すると、上部が外側に傾いたり、左右に傾いたりすることが多く、安定した装着を行うことができなかった。特にサブバッグを装着した状態で動き回る場合には、その傾向が顕著に現れた。
【先行技術文献】
【特許文献】
【０００６】
【特許文献１】特開２００９−４５２６６号公報
【特許文献２】特開２００５−２７９１１７号公報
【考案の概要】
【課題を解決するための手段及びその効果】
【０００７】
本考案は上記課題に鑑みなされたものであって、バッグ本体に対しサブバッグや収納ケース（以下、本発明では、サブバッグや収納ケースなどをまとめて「オプションパーツ」と表記する）を安定に密接して装着できるとともに、オプションパーツをウエストバッグ、手提げバッグなどとして利用することができる、バッグ本体とオプションパーツとで構成されたバッグを提供することを目的としている。
【０００８】
上記目的を達成するために本考案に係るバッグ（１）は、バッグ本体とオプションパーツとで構成されたバッグであって、前記バッグ本体が、該バッグ本体の側面部に、前記バッグ本体に両端が固定された少なくとも１本の横方向の帯状体を備え、前記オプションパーツが、該オプションパーツの背面部に、一端が前記オプションパーツの上部に固定され、先端に前記オプションパーツの下部に固定された係合部と留め外し可能な被係合部を有する少なくとも１本の縦方向の帯状体と、前記縦方向の帯状体の両端間に、一端が前記オプションパーツに固定され、先端に前記オプションパーツに固定された係合部と留め外し可能な被係合部を有する少なくとも１本の横方向の帯状体とを備えていることを特徴としている。
【０００９】
上記バッグ（１）によれば、前記バッグ本体が、該バッグ本体の側面部に、前記バッグ本体に両端が固定された少なくとも１本の横方向の帯状体を備え、前記オプションパーツが、該オプションパーツの背面部に、一端が前記オプションパーツの上部に固定され、先端に前記オプションパーツの下部に設けられた係合部と留め外し可能な被係合部を有する少なくとも１本の縦方向の帯状体と、前記縦方向の帯状体の両端間に、一端が前記オプションパーツに固定され、先端に前記オプションパーツに固定された係合部と留め外し可能な被係合部を有する少なくとも１本の横方向の帯状体とを備えているので、前記オプションパーツを前記バッグ本体に、安定に密接して装着できるとともに、前記バッグ本体をショルダー型バッグ、リュック型バッグとして利用できるとともに、前記オプションパーツをウエストバッグ、手提げタイプの小物入れなどとして利用することができる。
【００１０】
本考案に係るバッグ（２）は、上記バッグ（１）において、前記オプションパーツの前記縦方向の帯状体が、前記バッグ本体と前記バッグ本体の前記横方向の帯状体との間に挿入され、前記縦方向の帯状体先端の前記被係合部と、前記オプションパーツに固定された前記係合部とにより係止され、前記オプションパーツの横方向の帯状体が、前記バッグ本体の前記横方向の帯状体間の位置で、前記バッグ本体と前記縦方向の帯状体との間に挿入され、前記横方向の帯状体先端の前記被係合部と、前記オプションパーツに固定された前記係合部とにより係止されていることを特徴としている。
【００１１】
上記バッグ（２）によれば、前記オプションパーツの前記縦方向の帯状体が、前記バッグ本体と前記バッグ本体の前記横方向の帯状体との間に挿入され、前記縦方向の帯状体先端の前記被係合部と、前記オプションパーツに固定された前記係合部とにより係止され、前記オプションパーツの横方向の帯状体が、前記バッグ本体の前記横方向の帯状体間の位置で、前記バッグ本体と前記縦方向の帯状体との間に挿入され、前記横方向の帯状体先端の前記被係合部と、前記オプションパーツに固定された前記係合部とにより係止されているので、前記バッグ本体がキャンパス生地のような織物製であっても、前記オプションパーツが前記バッグ本体に対して、安定して、かつ密接した状態で装着できるとともに、バッグ本体の揺れなどの動きに対してもしっかりと装着された状態を維持することができる。
【００１２】
本考案に係るバッグ（３）は、上記バッグ（１）又は（２）において、前記オプションパーツの前記縦方向の帯状体及び前記横方向の帯状体に設けられた前記被係合部、及び前記オプションパーツに固定された前記係合部が、面ファスナーにより構成されていることを特徴としている。
【００１３】
上記バッグ（３）によれば、前記オプションパーツの前記縦方向の帯状体及び前記横方向の帯状体に設けられた前記被係合部、及び前記オプションパーツに固定された前記係合部が、面ファスナーにより構成されているので、係合部の着脱や取り扱いが容易である。
【００１４】
本考案に係るバッグ（４）は、上記バッグ（３）において、前記オプションパーツに固定された前記係合部が内側に係合面を備えた挟持型であり、挟持型の一端側がオプションパーツに固定され、前記オプションパーツの前記縦方向の帯状体先端の前記被係合部、及び前記横方向の帯状体の前記被係合部が両面に被係合面を備えており、前記縦方向の帯状体先端の前記被係合部、及び前記横方向の帯状体先端の前記被係合部が、前記オプションパーツに固定された挟持型の前記係合部により、両面で係合され係止されるように構成されていることを特徴としている。
【００１５】
本考案に係るバッグ（５）は、上記バッグ（３）において、前記オプションパーツの前記縦方向の帯状体、及び前記横方向の帯状体の前記被係合部が内側に被係合面を備えた挟持型であり、前記オプションパーツに固定された前記係合部が、一端が前記オプションパーツに固定され他端が両面に係合面を備えた自由端であり、前記オプションパーツに固定された前記係合部が、前記縦方向の帯状体先端の挟持型の前記被係合部、及び前記横方向の帯状体先端の挟持型の前記被係合部により、両面で係合され係止されるように構成されていることを特徴としている。
【００１６】
上記バッグ（４）又はバッグ（５）によれば、内側に係合面を備えた前記挟持型の係合部、又は内側に係合面を備えた前記挟持型の被係合部と、両面に係合面を備えた前記被係合部又は両面に係合面を備えた前記係合部とにより係合され係止されるように構成されているので、強固に係止することができる。前記オプションパーツに、カメラの交換レンズなどの重いものを入れて携行する場合でも係止状態が解ける恐れが少なく、前記オプションパーツに貴重品などが入っている場合にも、安全に安心して携行することができる。
【００１７】
本考案に係るバッグ（６）は、上記バッグ（１）〜（５）のいずれかにおいて、前記オプションパーツの背面側が、硬質の部材を含んで構成されていることを特徴としている。
上記バッグ（６）によれば、前記オプションパーツの背面が硬質の部材を含んで構成されているので、前記バッグ本体に前記オプションパーツを装着した際に前記オプションパーツの背面が撓みにくい。そのために、前記バッグ本体に対して、前記オプションパーツを安定して密接した装着状態を維持することができる。
【００１８】
本考案に係るバッグ（７）は、上記バッグ（１）〜（５）のいずれかにおいて、前記オプションパーツが、ハンドストラップ用の留め具を備えていることを特徴としている。
上記バッグ（７）によれば、前記オプションパーツにハンドストラップを取り付けた場合には、前記オプションパーツを前記バッグ本体から外して携行することができるので、小物入れなどとして便利に利用することができる。
【００１９】
本考案に係るバッグ（８）は、上記バッグ（１）〜（５）のいずれかにおいて、前記バッグ本体が、肩掛け用ベルトの留め具、及び／又は手提げ用ベルトの留め具を備えていることを特徴としている。
上記バッグ（８）によれば、前記バッグ本体がショルダーバッグのような場合には、手提げタイプのバッグとして、前記バッグがリュック型の場合にはショルダータイプのバッグなどとして利用することができるので、バッグの用途を広げることができる。
【００２０】
また、本考案に係るバッグ（９）は、バッグ本体とオプションパーツとで構成されたバッグであって、前記バッグ本体が、該バッグ本体の側面部に、一端が前記バッグ本体に固定され、先端に前記バッグ本体に固定された係合部と留め外し可能な被係合部を有する少なくとも１本の縦方向の帯状体と、前記縦方向の帯状体の両端間に、一端が前記バッグ本体に固定され、先端に前記バッグ本体に固定された係合部と留め外し可能な被係合部を有する少なくとも１本の横方向の帯状体とを備え、前記オプションパーツが、該オプションパーツの背面部に、前記オプションパーツに両端が固定された少なくとも１本の横方向の帯状体を備えていることを特徴としている。
【００２１】
上記バッグ（９）によれば、バッグ本体とオプションパーツとで構成されたバッグであって、前記バッグ本体が、該バッグ本体の側面部に、一端が前記バッグ本体に固定され、先端に前記バッグ本体に固定された係合部と留め外し可能な被係合部を有する少なくとも１本の縦方向の帯状体と、前記縦方向の帯状体の両端間に、一端が前記バッグ本体に固定され、先端に前記バッグ本体に固定された係合部と留め外し可能な被係合部を有する少なくとも１本の横方向の帯状体とを備え、前記オプションパーツが、該オプションパーツの背面部に、前記オプションパーツに両端が固定された少なくとも１本の横方向の帯状体を備えているので、前記オプションパーツを前記バッグ本体に、安定に密接して装着できるとともに、前記バッグ本体をショルダーバッグ、リュック型バッグとして利用できるとともに、前記オプションパーツをウエストバッグ、手提げタイプの小物入れなどとして利用することができる。
【図面の簡単な説明】
【００２２】
【図１】本考案の実施の形態に係るバッグの構成を示す斜視図である。
【図２】（ａ）はバッグ本体のオプションパーツ装着部を示す斜視図、（ｂ）はオプションパーツのバッグ本体への装着部を示す斜視図である。
【図３】オプションパーツのバッグ本体への装着を説明する図であり、オプションパーツは縦方向の帯状体及び横方向の帯状体のみを図示し、バッグ部分を図示していない図である。
【図４】着脱式の背負いベルトを用いてリュック型バッグとして利用する例を示す図であり、（ａ）はバッグ本体の背面に背負いベルトを装着した状態を示す部分斜視図、（ｂ）は背負いベルトの上部取り付け部の詳細を示す図である。
【図５】本考案の別の実施の形態に係るバッグの装着部を示す斜視図であり、（ａ）はバッグ本体のオプションパーツ装着部を示す図、（ｂ）はオプションパーツのバッグ本体への装着部を示す図である。
【考案を実施するための形態】
【００２３】
以下、本考案に係るバッグの実施の形態を図面に基づいて説明する。なお、以下に述べる実施の形態は、本考案の好適な具体例であるから、技術的に好ましい種々の限定が付されているが、本考案の範囲は、以下の説明において特に本考案を限定する旨の記載がない限り、これらの形態に限られるものではない。
【００２４】
図１は、実施の形態に係るバッグ１の外観を示す斜視図である。図２（ａ）は、バッグ本体１０におけるオプションパーツ２０の装着部を示す部分斜視図であり、図２（ｂ）は、オプションパーツ２０のバッグ本体１０への装着部を示す斜視図である。また、図３は、バッグ本体１０へのオプションパーツ２０の装着を説明するための部分拡大斜視図であり、説明を分かりやすくするためにオプションパーツ２０の本体部を除き、装着用の帯状体のみを示す図である。
【００２５】
実施の形態に係るバッグ１はショルダー型バッグであり、ほぼ角型の形状をしたバッグ本体１０と、バッグ本体１０の側面部１６に装着されたオプションパーツ２０とで構成されている。バッグ１は、バッグ本体１０にオプションパーツ２０を装着した状態で使用するだけではなく、バッグ本体１０からオプションパーツ２０を取り外し、オプションパーツ２０をウエストバッグ、携帯用の小物入れなどとして利用することができる。
【００２６】
バッグ本体１０とオプションパーツ２０を構成する生地素材には、例えば、キャンバス生地を用いることができるが、これに限定されるものではなく、各種の布・生地、皮、合皮、ナイロン素材など、一般的なバッグに採用され得る生地素材を用いることができ、また、撥水加工などの表面加工処理などが行われた生地素材を用いることができる。また、本実施の形態では、バッグ１がショルダー型バッグである場合について説明するが、バッグの形態はこれに限定されるものではなく、本考案は、リュック型バッグ、トートバッグ、ボストンバッグ、ハンドバッグなどの各種形態のバッグに適用できる。
【００２７】
バッグ本体１０は、上面の開口部を開閉するための蓋部１２と、正面部１７に取り付けられた正面外ポケット１３と、側面部１６の上部にバックルなどの留め具１９により着脱可能に取り付けられた肩ベルト１４と、背面部１８上部に取り付けられた持ち手（図示せず）とを含んで構成されている。肩ベルト１４は、留め具１９によって着脱可能になっている。開口部の縁部と蓋部１２の縁部には、開閉用のスライドファスナー１５が取り付けられている。なお、バッグ本体１０の大きさや形状、外ポケット１３の位置や数、開口部の位置や数、ファスナーの形態などは、この形態に限定されるものではない。
オプションパーツ２０は、バッグ本体１０に設けられた横方向の帯状体１１ａ、１１ｂと、オプションパーツ２０に設けられた横方向の帯状体２１、縦方向の帯状体２２とによって、バッグ本体１０に装着されている。
【００２８】
図２（ａ）に示すように、バッグ本体１０の側面部１６には、２本の横方向の帯状体１１ａ、１１ｂが設けられている。横方向の帯状体１１ａ、１１ｂは、バッグ本体１０にオプションパーツ２０を装着するために用いられるものであり、後に説明するオプションパーツ２０の横方向の帯状体２１の幅より大きい間隔を隔てて取り付けられている。横方向の帯状体１１ａ、１１ｂの一端部１１ａａ、１１ｂａは、バッグ本体１０を構成する前面部１７と側面部１６の生地素材の間に挟まれて、他端部１１ａｂ、１１ｂｂはバッグ本体１０を構成する背面部１８と側面部１６の生地素材の間に挟まれて、これらの生地素材とともに一体的に縫合され、固定されている。横方向の帯状体１１ａ、１１ｂがオプションパーツ２０の装着に用いられる。
【００２９】
図２（ｂ）に示すように、オプションパーツ２０は、背面部２８に、横方向の帯状体２１及び縦方向の帯状体２２が設けられており、ハンドストラップ用の留め具２９であるＤリングも備えている。横方向の帯状体２１の一端部２１ａ、縦方向の帯状体２２の一端部２２ａは、オプションパーツ２０の背面部２８を構成する生地素材と背面部２８の周囲の生地素材との間に挟まれて、これらの生地素材とともに一体的に縫合され、固定されている。横方向の帯状体２１の他端部である先端部２１ｂの両面は、面ファスナーの被係合部２１ｃ、縦方向の帯状体２２の他端部である先端部２２ｂの両面は、面ファスナーの係合面である被係合部２２ｃとなっており、被係合部２１ｃ、２２ｃは両面が面ファスナーの一方側の面、すなわち、フック面（鍵状突起面）、又はループ面（環状突起面）となっている。
【００３０】
さらに、オプションパーツ２０の背面部２８には、横方向の帯状体２１の先端部２１ｂの被係合部２１ｃに対応する位置に面ファスナーの係合部２３、縦方向の帯状体２２の先端部２２ｂの被係合部２２ｃに対応する位置に面ファスナーの係合部２４が設けられている。係合部２３、２４は、いずれも被係合部２１ｃ、２２ｃを表裏両面から挟持するタイプ（以下、「挟持型」と表記する）であり、係合部２３の挟持型の両側の内面が係合面、係合部２４の挟持型の両側の内面が係合面となっており、挟持型の固定部である係合部２３の一端部２３ａ、係合部２４の一端部２４ａは、それぞれ、オプションパーツ２０の背面部２８を構成する生地素材と背面部２８の周囲の生地素材との間に挟まれて、これらの生地素材とともに一体的に縫合され、固定されている。
【００３１】
横方向の帯状体２１の係合部２３、縦方向の帯状体２２の係合部２４の挟持型の中に、横方向の帯状体２１の被係合部２１ｃ、縦方向の帯状体２２の被係合部２２ｃを挟んだ状態で押圧して係合することにより、係止されるようになっている。対面する係合部同士は、一方側がフック面（鍵状突起面）の場合は、他方側はループ面（環状突起面）である。横方向の帯状体２１の先端部２１ｂ、縦方向の帯状体２２の先端部２２ｂが、挟持型の係合部２３、２４により両面で係合されるので、横方向の帯状体２１の先端部２１ｂ、縦方向の帯状体２２の先端部２２ｂが、係合部２３、２４に対し強固に係合し、係止される。
【００３２】
上記の実施の形態では、オプションパーツ２０側の係合部２３、２４が挟持型の場合を示したが、横方向の帯状体２１の先端部２１ｂ、縦方向の帯状体の先端部２２ｂを挟持型の係合部としてもよい。また、オプションパーツ２０側の係合部２３、２４のいずれか一方を挟持型とする組合せでもよく、オプションパーツ２０の形態等に合わせて適宜選択することが好ましい。さらに、係合部として、少なくとも一方を挟持型として、係合部としての挟持型に内側に被係合部を挟むタイプの面ファスナーを用いる例を示したが、挟持型ではなく、平面状の係合部（例えば、フック面）と被係合部（例えば、ループ面）で構成された面ファスナーを用いてもよい。
【００３３】
また、上記の実施の形態では、面ファスナーを用いる例を示したが、係合部については、バックルタイプ、クリップタイプ、ホックタイプなど適宜用いることができる。
【００３４】
図３は、オプションパーツ２０のバッグ本体１０への装着を説明するための図であり、オプションパーツ２０については、装着状態を分かりやすく図示するために、横方向の帯状体２１及び縦方向の帯状体２２のみを図示し、バッグ部分を図示していない。以下、図２（ｂ）及び図３を参照して、オプションパーツ２０のバッグ本体１０への装着について説明する。
【００３５】
縦方向の帯状体２２は上側の端部２２ａが、オプションパーツ２０の背面部２８を構成する生地素材と背面部２８の周囲の生地素材との間に挟まれて、これらの生地素材とともに一体的に縫合されることによって固定されている。また、バッグ本体１０の側面部１６には、２本の横方向の帯状体１１ａ、１１ｂが取り付けられており、横方向の帯状体１１ａ、１１ｂの一端部１１ａａ、１１ｂａは、バッグ本体１０を構成する前面部１７と側面部１６の生地素材の間に挟まれて、他端部１１ａｂ、１１ｂｂはバッグ本体１０を構成する背面部１８と側面部１６の生地素材との間に挟まれて、これらの生地素材とともに一体的に縫合され、固定されている。横方向の帯状体１１ａ、１１ｂがオプションパーツ２０の装着に用いられる。
【００３６】
オプションパーツ２０をバッグ本体１０に装着する際には、はじめに、一端部２２ａがオプションパーツ２０に固定されたオプションパーツ２０の縦方向の帯状体２２の先端部２２ｂを上方から下方に向けて、バッグ本体１０の横方向の帯状体１１ａ及び１１ｂとバッグ本体１０の側面部１６との間に通す。次に、オプションパーツ２０の背面部２８の下部に固定された挟持型の係合部２４と、縦方向の帯状体２２の先端部２２ｂの被係合部２２ｃとを係合することにより、縦方向の帯状体２２の先端部２２ｂを係止する。次に、一端部２１ａがオプションパーツ２０に固定された横方向の帯状体２１の先端部２１ｂを、縦方向の帯状体２２とバッグ本体１０の側面部１６との間に通して、横方向の帯状体２１の先端部２１ｂの被係合部２１ｃを、オプションパーツ２０に固定された挟持型の係合部２３の間に挟んで係合することにより、横方向の帯状体２１の先端部２１ｂを係止する。
【００３７】
上記のようにバッグ本体１０に対してオプションパーツ２０を装着することにより、オプションパーツ２０は、バッグ本体１０に対して安定してしっかりと装着される。すなわち、オプションパーツ２０の縦方向の帯状体２２が、バッグ本体１０に固定された２本の横方向の帯状体１１ａ、１１ｂによって、オプションパーツ２０の下方への動きが抑えられるとともに、オプションパーツ２０が外側に傾くことが防止される。さらに、オプションパーツ２０に取り付けられた横方向の帯状体２１によって、縦方向の帯状体２２とオプションパーツ２０の背面部２８との間隔が広がることが防止され、より密接するので、いっそう安定した装着を実現することができる。
【００３８】
さらに安定した装着を実現するためには、バッグ本体１０の横方向の帯状体１１ａ、１１ｂ、オプションパーツ２０の横方向の帯状体２１、及び縦方向の帯状体２２の幅、それぞれの帯状体の性質等を適宜選択することが好ましい。バッグ本体１０の２本の横方向の帯状体１１ａ、１１ｂの間隔ｄと、オプションパーツ２０の横方向の帯状体２１の幅ｗｓとの関係は、両者ができるだけ近い方が、バッグ本体１０とオプションパーツ２０とをより密着させることができる。また、バッグ本体１０の横方向の帯状体１１ａ、１１ｂの固定端間の長さｌと、オプションパーツ２０の縦方向の帯状体２２の幅ｗｓｖとの関係も、両者ができるだけ近い方が、バッグ本体１０とオプションパーツ２０をより密接させることができる。さらに、バッグ本体１０の横方向の帯状体１１ａ、１１ｂの幅ｗｂは、可能なかぎり広い方が好ましい。ただし、上記の関係は、デザイン、扱いやすさ等を考慮して適宜選択することが好ましい。
【００３９】
また、図３に示した縦方向の帯状体２２に設けられたホック２６（例えば、雌部）と、オプションパーツ２０の背面部２８に設けられた図示していないホック（例えば、雄部）とにより、縦方向の帯状体２２とオプションパーツ２０の背面とを係合することにより、バッグ本体１０に対し、オプションパーツ２０をより確実に、強固に装着することができる。このような係合部も併用してもよい。
【００４０】
バッグ本体１０の横方向の帯状体１１ａ、１１ｂ、オプションパーツ２０の横方向の帯状体２１、縦方向の帯状体２２などの帯状体は、オプションパーツ２０にカメラの交換レンズなどの重いものが入っている場合でも、オプションパーツ２０をバッグ本体１０に対し安定した装着状態を維持できるものであることが好ましい。帯状体として用いることができるテープとしては、ポリプロピレン製、アクリル製、ナイロン製、ポリエステル製、コットン製などの織テープ、合成皮革製又は皮革製のベルトなどがある。これらのテープの中では、ポリプロピレン製の織テープは、強度があり長さ方向で折れ曲がりにくい性質があるほか、加工性、吸湿性などの点からもっとも好適である。その他のテープについても、バッグ本体の横方向の帯状体１１ａ、１１ｂ、オプションパーツ２０の横方向の帯状体２１、縦方向の帯状体２２のサイズ、デザイン、加工性などに応じて、それぞれ適宜選択することが好ましい。また、織テープのような場合には、さらに耐撓み性を向上させるために、他の布生地などと重ね合わせて縫合するようにしてもよい。
【００４１】
オプションパーツ２０の背面部２８は、バッグ本体１０にオプションパーツ２０を装着した際に、バッグ本体１０にオプションパーツ２０の背面部２８を密接させた状態で維持することができるように、撓みが少ないことが好ましい。そのために、オプションパーツ２０の背面部２８については、生地素材の間に合成樹脂板、金属板、厚紙などの耐撓み性部材を挟むほか、生地を重ね合わせて縫合することなどにより、適度の耐撓み性を持たせることもひとつの方法である。
【００４２】
図１〜図３には、バッグ本体１０の横方向の帯状体が符号１１ａ、１１ｂの２本、オプションパーツ２０の横方向の帯状体が符号２１の１本の場合を示したが、横方向の帯状体の数は、バッグ本体１０側の２本、オプションパーツ２０側の１本の組合せに限定されない。バッグ本体１０及びオプションパーツ２０のサイズが大きい場合には、例えば、バッグ本体の横方向の帯状体を３本、オプションパーツ２０の横方向の帯状体を２本としてもよい。この場合には、バッグ本体１０の３本の横方向の帯状体で形成される２つの横方向の帯状体間の間隔ｄ（図３参照）の部分に、オプションパーツ２０の２本の幅ｗｓ（図３参照）の横方向の帯状体をそれぞれ位置させるようにすればよい。
【００４３】
このほか、オプションパーツ２０が小型などの場合には、バッグ本体１０の横方向の帯状体の数を１本としてもよい。この場合には、バッグ本体１０の横方向の帯状体をバッグ本体１０の側面１６の上部に取り付け、その位置でオプションパーツ２０の縦方向の帯状体２２により、オプションパーツ２０を吊り下げる状態にできるようにすることが好ましい。なお、この場合にも、オプションパーツ２０の縦方向の帯状体２２を横方向の帯状体２１により、オプションパーツ２０側に密接させるようにする。それによって、縦方向の帯状体２２の撓みを防止することが可能であり、バッグ本体１０に対して、オプションパーツ２０をよりしっかりと装着することができる。
【００４４】
また、図１〜図３には、オプションパーツ２０の縦方向の帯状体が符号２２の１本の場合を示したが、オプションパーツ２０の縦方向の帯状体の数は１本に限定されない。バッグ本体１０及びオプションパーツ２０のサイズが大きい場合には、例えば、２本であってもよい。ただし、この場合には、バッグ本体１０の横方向の帯状体（例えば、符号１１ａ、１１ｂ）は、オプションパーツ２０の２本の縦方向の帯状体間に対応する位置で、縫合等によりバッグ本体１０に固定されていることが好ましい。それにより、バッグ本体１０に対して、オプションパーツ２０をより密接した装着状態に維持することができる。
【００４５】
オプションパーツ２０の横方向の帯状体２１の被係合部２１ｃ、２２ｃ、これらの被係合部２１ｃ、２２ｃに対応する係合部２３、２４については、面ファスナーを用いる例を示したが、係合については他のタイプのものでもよい。例えば、プラスチック製のバックル、金属製のホックなどを用いることができる。ただし、面ファスナーは、扱いやすさ、デザイン性などの点で優れており、特に挟持型の係合部２３、２４、被係合部２１ｃ、２２ｃの組合せの場合には、係合部で外れる可能性が極めて小さいので、両面で係合する挟持型タイプがもっとも優れている。
【００４６】
オプションパーツ２０をウエストバッグとして利用する場合には、バッグ本体１０からオプションパーツ２０を取り外し、使用者と使用者のベルト等との間に、オプションパーツ２０の縦方向の帯状体２２を通し、縦方向の帯状体２２の被係合部２２ｃと係合部２４とを係合することにより係止すればよい。この場合、横方向の帯状体２１は、特に使用する必要はない。
【００４７】
また、手提げタイプの小物入れなどとして利用する場合には、図示していないハンドストラップのナスカンなどの留め具を図２（ｂ）に示したＤリングなどの留め具２９に係合することにより、携帯できるようにすればよい。このようにして、バッグ本体１０をショルダーバッグ、リュック型バッグなどとして利用するとともに、オプションパーツ２０を出し入れが容易な小物入れとして利用することにより、バッグ１の利便性を大幅に向上させることができる。
【００４８】
バッグ本体１０については、バッグ本体１０の側面部１６の両側の上部に取り付けられているバックルなどの留め具１９を利用してベルトを交換することにより、ショルダーバッグ、手提げ型バッグなどとして、使い方を変えて利用することができる。
【００４９】
オプションパーツ２０については、ショルダーバッグ、リュック型バッグなどのバッグ１のタイプや用途、サイズ等に合わせて、ショッピングに適したタイプ、野外での写真撮影に適したタイプ、魚釣りに適したタイプ、アウトドアに適したタイプなど複数のオプションパーツ２０を用意しておき、適宜組み合わせてバッグ１を構成してもよい。そのようなオプションパーツ２０は、バッグ本体１０から取り外して、ウエストバッグ、手提げバッグなどの小物入れとして使えるので、バッグ１の用途、利便性などを大幅に向上させることができる。
【００５０】
図１には、ショルダーバッグ型のバッグ本体１０を示したが、すでに述べたように、バッグ本体１０はその他のタイプでもよい。リュック型のバッグの場合には、バッグ本体１０の背面部１８の上部中央部に２本の背負いベルトの一端側を固定し、背面部１８の下部の両サイドで背負いベルトを固定したタイプとすればよい。また、背負いベルトを固定するのではなく、バックルなどにより、背負いベルトが着脱できるようにしてもよい。背負いベルトが着脱できる場合には、バッグ１をショルダーバッグ、リュック型バッグなどとして、適宜使い分けることができる。
【００５１】
図４は、着脱式の背負いベルトを用いてリュック型バッグとして利用する例を示す図であり、（ａ）はバッグ本体１０の背面に背負いベルト３２を装着した状態を示す部分斜視図、（ｂ）は背負いベルト３２の上部取り付け部の詳細を示す図である。図４（ａ）に示されているように、バッグ本体１０の背面１８の上部中央部には、背負いベルト装着用の係合ベルト３１が固定されており、背負いベルト３２の上部係合部３３によって、背負いベルト３２の上部が係合ベルト３１に取り付けられている。また、背負いベルト３２の２本のベルト３２ａ、３２ｂの下端部は、バッグ本体１０の下部の両側で、それぞれバックル３６、３７によって係合されている。
【００５２】
図４（ｂ）に示すように、背負いベルト３２の上部係合部３３は、折れ返し部３３ａの一端側（図４（ａ）では上部）にバックル３４、３５の雌部３４ａ、３５ａが取り付けられており、折れ返し部３３ａのベルト３２ａ、３２ｂ側には、バックル３４、３５の雄部３４ｂ、３５ｂが取り付けられている。背負いベルト３２をバッグ本体１０に取り付ける際には、背負いベルト３２の上部係合部３３のバックル３４、３５の雌部３４ａ、３５ａを、係合ベルト３１とバッグ本体１０の背面部１８との間に通し、折れ返し部３３ａで折り返した後、バックル３４の雌部３４ａと雄部３４ｂ、バックル３５の雌部３５ａと雄部３５ｂとを係合する。また、ベルト３２の下部は、それぞれバックル３６、３７によって、バッグ本体１０と係合する。
【００５３】
上記のように、バッグ本体１０に対して背負いベルト３２を取り付けることにより、リュック型のバッグとして利用できる。すなわち、例えば、ショルダー型のバッグであっても、背負いベルト３２は、折れ返し部３３ａに設けられたバックル３４、３５、及び下部のバックル３６、３７によって着脱が可能であるため、リュック型バッグとして利用することができる。
【００５４】
図５は、本考案の別の実施の形態に係るバッグの装着部を示す斜視図であり、（ａ）はバッグ本体１０ａのオプションパーツ装着部を示す図、（ｂ）はオプションパーツ２０ａのバッグ本体１０ａへの装着部を示す図である。
【００５５】
図５（ｂ）に示すように、オプションパーツ２０ａの背面部２８には、２本の横方向の帯状体６１ａ、６１ｂが固定されている。横方向の帯状体６１ａ、６１ｂは、バッグ本体１０ａにオプションパーツ２０ａを装着するために用いられるものであり、後に説明するバッグ本体１０ａの横方向の帯状体５１の幅より大きい間隔を隔てて取り付けられている。
【００５６】
図５（ａ）に示すように、バッグ本体１０ａの側面部１６には、横方向の帯状体５１及び縦方向の帯状体５２が設けられている。横方向の帯状体５１の一端部５１ａ、縦方向の帯状体５２の一端部５２ａは、バッグ本体１０ａの側面部１６に固定されている。横方向の帯状体５１の他端部である先端部５１ｂの両面は、面ファスナーの被係合部５１ｃ、縦方向の帯状体５２の他端部である先端部５２ｂの両面は、面ファスナーの係合面である被係合部５２ｃとなっており、被係合部５１ｃ、５２ｃは両面が面ファスナーの一方側の面、すなわち、フック面（鍵状突起面）、又はループ面（環状突起面）となっている。
【００５７】
さらに、バッグ本体１０ａの側面部１６には、横方向の帯状体５１の先端部５１ｂの被係合部５１ｃに対応する位置に面ファスナーの係合部５３、縦方向の帯状体５２の先端部５２ｂの被係合部５２ｃに対応する位置に面ファスナーの係合部５４が設けられている。係合部５３、５４は挟持型であり、係合部５３の挟持型の両側の内面が係合面、係合部５４の挟持型の両側の内面が係合面となっており、挟持型の固定部である係合部５３の一端部５３ａ、係合部５４の一端部５４ａは、それぞれ、バッグ本体１０ａに固定されている。
【００５８】
横方向の帯状体５１の挟持型の係合部５３、縦方向の帯状体５２の挟持型の係合部５４の中に横方向の帯状体５１の被係合部５１ｃ、縦方向の帯状体５２の被係合部５２ｃをそれぞれ挟んだ状態で押圧して係合することにより、係止されるようになっている。対面する係合部同士は、一方側がフック面（鍵状突起面）の場合は、他方側はループ面（環状突起面）である。横方向の帯状体５１の先端部５１ｂ、縦方向の帯状体５２の先端部５２ｂが、挟持型の係合部５３、５４により両面で係合されるので、横方向の帯状体５１の先端部５１ｂ、縦方向の帯状体５２の先端部５２ｂが、係合部５３、５４に対し強固に係合し、係止される。
【００５９】
オプションパーツ２０ａをバッグ本体１０ａに装着する際には、はじめに、オプションパーツ２０ａの横方向の帯状体６１ａ、６１ｂと、オプションパーツ２０ａの側面部２８との間に、バッグ本体１０ａの縦方向の帯状体５２を通す。次に、バッグ本体１０ａの側面部１６の下部に固定された挟持型の係合部５４と、縦方向の帯状体５２の先端部５２ｂの被係合部５２ｃとを係合することにより、縦方向の帯状体５２の先端部５２ｂを係止する。次に、一端部５１ａがバッグ本体１０ａに固定された横方向の帯状体５１の先端部５１ｂを、縦方向の帯状体５２とオプションパーツ２０ａの背面部２８との間を通して、横方向の帯状体５１の先端部５１ｂの被係合部５１ｃを、バッグ本体１０ａに固定された挟持型の係合部５３の間に挟んで係合することにより、横方向の帯状体５１の先端部５１ｂを係止する。
【００６０】
上記のようにバッグ本体１０ａに対してオプションパーツ２０ａを装着することにより、オプションパーツ２０ａは、バッグ本体１０ａに対して安定してしっかりと装着される。すなわち、オプションパーツ２０ａに固定された２本の横方向の帯状体６１ａ、６１ｂが、バッグ本体１０ａの縦方向の帯状体５２、及び横方向の帯状体５１によって、バッグ本体１０ａに対して、密接して安定した状態で装着される。
【００６１】
なお、オプションパーツ２０ａが小型などの場合には、オプションパーツ２０ａの横方向の帯状体の数を１本としてもよい。この場合には、オプションパーツ２０ａの横方向の帯状体をオプションパーツ２０ａの背面部２８の下部に取り付け、その位置でバッグ本体１０の縦方向の帯状体５２により、オプションパーツ２０ａを留める状態にできるようにすることが好ましい。なお、この場合にも、バッグ本体１０ａの縦方向の帯状体５２を横方向の帯状体５１により、バッグ本体１０ａ側に密接させるようにする。それによって、縦方向の帯状体５２の撓みを防止することが可能であり、バッグ本体１０ａに対して、オプションパーツ２０ａをよりしっかりと装着することができる。
【符号の説明】
【００６２】
１    バッグ
１０、１０ａ  バッグ本体
１１  上面開口部
１１ａ、１１ｂ、２１、５１、６１ａ、６１ｂ  横方向の帯状体
１２  蓋部
１３  外ポケット
１４  肩ベルト
１５  スライドファスナー
１６  側面部
１８、２８  背面部
１９、２９  留め具
２０、２０ａ  オプションパーツ
２１  横方向の帯状体
２１ａ、２２ａ、５１ａ、５２ａ、５３ａ、５４ａ  一端部  
２１ｂ、２２ｂ、５１ｂ、５２ｂ  先端部
２１ｃ、２２ｃ、５１ｃ、５２ｃ  被係合部
２１ｄ、２２ｄ、２３ｄ、２４ｄ  係合面
２２、５２  縦方向の帯状体
２３、２４、５３、５４  係合部
２３ａ、２４ａ  一端部
２６  ホック  
３１  係合ベルト
３２  背負いベルト
３２ａ、３２ｂ  ベルト
３３  上部係合部
３３ａ  折れ返し部
３４、３５、３６、３７  バックル
３４ａ、３５ａ  雌部
３４ｂ、３５ｂ  雄部
ｄ    バッグ本体の横方向の帯状体の間隔
ｌ    バッグ本体の横方向の帯状体の固定端間の長さ
ｗｓ  オプションパーツの横方向の帯状体の幅
ｗｂ  バッグ本体の横方向の帯状体の幅
ｗｓｖ  オプションパーツの縦方向の帯状体の幅
【図１】
0003211078.tif 000003
【図２】
0003211078.tif 000004
【図３】
0003211078.tif 000005
【図４】
0003211078.tif 000006
【図５】
0003211078.tif 000007